(57)【要約】      （修正有）【課題】漂流物の衝突によるスロープの破損を防止できる救助・避難櫓を提供する。【解決手段】設置面上に立設された複数の支柱の上部に高架ステージが支持されるとともに、設置面および高架ステージを結ぶスロープ４が櫓外周に螺旋状に設けられた救助・避難櫓を対象とする。複数の支柱は、スロープ４の外周に沿って配置された複数のスロープ外側支柱１３と、スロープ４の内周に沿って配置された複数のスロープ内側支柱１２とを含む。スロープ４の外側縁部に沿って傾斜して配置されたスロープ外側傾斜梁４３が、スロープ外側支柱１３に固定されるとともに、スロープ４の内側縁部に沿って傾斜して配置されたスロープ内側傾斜梁４２が、スロープ内側支柱１２に固定される。スロープ４の両側縁部が、スロープ外側傾斜梁４３およびスロープ内側傾斜梁４２によって支持されている。【選択図】図３
2013249620.tif 000002
【特許請求の範囲】
【請求項１】
設置面上に立設された複数の支柱の上部に高架ステージが支持されるとともに、設置面および前記高架ステージを結ぶ避難者昇降用スロープが櫓外周に螺旋状に設けられた救助・避難櫓であって、
前記複数の支柱は、前記スロープの外周に沿って配置された複数のスロープ外側支柱と、前記スロープの内周に沿って配置された複数のスロープ内側支柱とを含み、
前記スロープの外側縁部に沿って傾斜して配置されたスロープ外側傾斜梁が、前記スロープ外側支柱に固定されるとともに、
前記スロープの内側縁部に沿って傾斜して配置されたスロープ内側傾斜梁が、前記スロープ内側支柱に固定され、
前記スロープの両側縁部が、前記スロープ外側傾斜梁および前記スロープ内側傾斜梁によって支持されていることを特徴とする救助・避難櫓。
【請求項２】
前記スロープは、鉄筋コンクリート製の床材によって構成されている請求項１に記載の救助・避難櫓。
【請求項３】
前記スロープ内側傾斜梁は、前記スロープ内側支柱の外面に固定されるとともに、
隣り合う前記スロープ内側支柱間に、水平に配置された水平梁が架け渡されている請求項１または２に記載の救助・避難櫓。
【請求項４】
前記複数の支柱は、櫓中心位置に設置された中心支柱を含んでいる請求項１〜３のいずれか１項に記載の救助・避難櫓。
【請求項５】
前記中心支柱は、前記高架ステージ上に追加建造物を建造する際の構造材として用いられる請求項４に記載の救助・避難櫓。
【請求項６】
前記追加建造物は電波塔である請求項５に記載の救助・避難櫓。
【請求項７】
隣り合う前記スロープ外側支柱間に、周囲方向に所定間隔おきに複数の縦材が設けられている請求項１〜６のいずれか1項に記載の救助・避難櫓。
【請求項８】
平面視正方形に形成され、その一コーナー部が津波の押し波方向に対向して配置されるとともに、前記一コーナー部に対し対角線上に配置される他のコーナー部が津波の引き波方向に対向して配置された請求項４に記載の救助・避難櫓であって、
前記一コーナー部および前記他のコーナー部にそれぞれ対応して配置された前記スロープ内側支柱と前記中心支柱との間に、ブレース材がそれぞれ取り付けられている救助・避難櫓。
【請求項９】
前記高架ステージに、ヘリコプターが離発着可能なヘリポートが設置されている請求項１〜８のいずれか１項に記載の救助・避難櫓。
【発明の詳細な説明】
【技術分野】
【０００１】
この発明は、地震等の発生に伴って襲来する津波に対して、安全な避難場所を提供したり、被災者を救助する際の拠点としても利用することができる救助・避難櫓に関する。
【背景技術】
【０００２】
平成２３年３月１１日に発生した東日本大震災では、これまでの想定をはるかに超えた大地震、大津波が発生し、甚大な被害を及ぼすものとなった。この震災の教訓を活かして、津波に対する被害を軽減するために、近年、津波避難用建造物、いわゆる避難櫓（退避櫓）が注目されている。
【０００３】
例えば下記特許文献１に示す避難櫓は、外周に沿って所定間隔おきに立設される複数の支柱と、その支柱の上部に支持された避難場所（避難ステージ）と、地上および避難ステージ間を結ぶ避難者昇降用の階段やスロープ等とを備えている。
【０００４】
このような避難櫓において、スロープは避難櫓の外周に螺旋状に設けられるのが一般的である。
【先行技術文献】
【特許文献】
【０００５】
【特許文献１】実用新案登録第３１６９２３１号
【発明の概要】
【発明が解決しようとする課題】
【０００６】
しかしながら、上記特許文献１に示す従来の避難櫓において、スロープは、櫓外周に配置されているため、津波で漂流する高重量大型の不特定漂流物が避難櫓に衝突した際に、漂流物がスロープを直撃し、スロープが簡単に破損してしまうという課題があった。こうしてスロープが破損してしまうと、避難ステージおよび地上間の移動をスムーズに行うことが困難になってしまうおそれがある。
【０００７】
この発明は、上記課題に鑑みてなされたものであり、漂流物が衝突したとしても、スロープが破損してしまうのを防止することができる救助・避難櫓を提供することを目的とする。
【課題を解決するための手段】
【０００８】
上記課題を解決するため、本発明は、以下の手段を備えるものである。
【０００９】
［１］設置面上に立設された複数の支柱の上部に高架ステージが支持されるとともに、設置面および前記高架ステージを結ぶ避難者昇降用スロープが櫓外周に螺旋状に設けられた救助・避難櫓であって、
前記複数の支柱は、前記スロープの外周に沿って配置された複数のスロープ外側支柱と、前記スロープの内周に沿って配置された複数のスロープ内側支柱とを含み、
前記スロープの外側縁部に沿って傾斜して配置されたスロープ外側傾斜梁が、前記スロープ外側支柱に固定されるとともに、
前記スロープの内側縁部に沿って傾斜して配置されたスロープ内側傾斜梁が、前記スロープ内側支柱に固定され、
前記スロープの両側縁部が、前記スロープ外側傾斜梁および前記スロープ内側傾斜梁によって支持されていることを特徴とする救助・避難櫓。
【００１０】
［２］前記スロープは、鉄筋コンクリート製の床材によって構成されている前項１に記載の救助・避難櫓。
【００１１】
［３］前記スロープ内側傾斜梁は、前記スロープ内側支柱の外面に固定されるとともに、
隣り合う前記スロープ内側支柱間に、水平に配置された水平梁が架け渡されている前項１または２に記載の救助・避難櫓。
【００１２】
［４］前記複数の支柱は、櫓中心位置に設置された中心支柱を含んでいる前項１〜３のいずれか１項に記載の救助・避難櫓。
【００１３】
［５］前記中心支柱は、前記高架ステージ上に追加建造物を建造する際の構造材として用いられる前項４に記載の救助・避難櫓。
【００１４】
［６］前記追加建造物は電波塔である前項５に記載の救助・避難櫓。
【００１５】
［７］隣り合う前記スロープ外側支柱間に、周囲方向に所定間隔おきに複数の縦材が設けられている前項１〜６のいずれか1項に記載の救助・避難櫓。
【００１６】
［８］平面視正方形に形成され、その一コーナー部が津波の押し波方向に対向して配置されるとともに、前記一コーナー部に対し対角線上に配置される他のコーナー部が津波の引き波方向に対向して配置された前項４に記載の救助・避難櫓であって、
前記一コーナー部および前記他のコーナー部にそれぞれ対応して配置された前記スロープ内側支柱と前記中心支柱との間に、ブレース材がそれぞれ取り付けられている救助・避難櫓。
【００１７】
［９］前記高架ステージに、ヘリコプターが離発着可能なヘリポートが設置されている前項１〜８のいずれか１項に記載の救助・避難櫓。
【発明の効果】
【００１８】
発明［１］の救助・避難櫓によれば、櫓外周部に設けられたスロープの外側に、構造材であるスロープ外側支柱を立設しているため、そのスロープ外側支柱によって、津波による漂流物の衝突に対する強度を一層高めることができ、漂流物が衝突したとしても、スロープが破損してしまうのを有効に防止することができる。さらにスロープ外側支柱に、スロープと平行にスロープ外側傾斜梁を固定し、その傾斜梁を介して、スロープの外側縁部をスロープ外側支柱に支持するようにしているため、このスロープ外側傾斜梁によって、隣り合うスロープ外側支柱を連結する連結部材と、スロープを支持する支持部材とを兼用することができる。従って、部品点数を削減できて、櫓建設作業をスムーズに行うことができて、工期の短縮およびコストの削減を図ることができる。
【００１９】
発明［２］の救助・避難櫓によれば、スロープを剛性の高いＲＣ構造の床材によって構成しているため、櫓外周に、剛性の高いスロープおよび支柱を配置することができ、津波による漂流物の衝突に対する強度を一層高めることができる。
【００２０】
発明［３］の救助・避難櫓によれば、上記の効果をより一層確実に得ることができる。
【００２１】
発明［４］の救助・避難櫓によれば、中心位置にも中心支柱が設けられるため、櫓自体の強度をより一層向上させることができる。さらに隣り合うスロープ内側支柱の内側に配置される梁を、スロープ内側支柱と中心支柱との間に架け渡すことができるため、例えばいずれかのスロープ内側支柱から櫓中心部を通って他のスロープ内側支柱までの間を直接連結するような長い寸法の水平梁を必要としない。このため、梁を短くできて、梁等の資材の小型軽量化を図ることができる。従って、資材の現場への搬入作業や取り扱い作業を容易に行うことができ、櫓建設作業を簡単かつスムーズに行うことができる。
【００２２】
発明［５］［６］の救助・避難櫓によれば、中心支柱を利用して、電波塔等の追加建造物を建造できるようにしているため、電波塔等を設置するための設置スペースを別途確保する必要がなく、その分、設置スペースの有効利用を図ることができる。
【００２３】
発明［７］の救助・避難櫓によれば、スロープ外側支柱間に縦材を設けているため、津波による漂流物が小型のものであっても、縦材によって櫓内部に突入するのを防止することができる。
【００２４】
発明［８］の救助・避難櫓によれば、コーナー部で津波の漂流物を受け止めることができる上、そのコーナー部を含む対角線上にブレース材が配置されているため、漂流物の衝突に対する強度を、より一層向上させることができる。
【００２５】
発明［９］の救助・避難櫓によれば、津波発生時においても、ヘリコプターを利用することができるため、ヘリコプターによって、レスキュー隊の被災地への派遣、被災者の救助を迅速に行うことができ、救助活動の拠点として利用することができる。
【図面の簡単な説明】
【００２６】
【図１】図１はこの発明の実施形態である救助・避難櫓を示す正面図である。
【図２】図２は実施形態の救助・避難櫓を示す側面図である。
【図３】図３は実施形態の救助・避難櫓を示す正面断面図である。
【図４】図４は実施形態の救助・避難櫓における地上階の高さ位置での水平断面図である。
【図５】図５は実施形態の救助・避難櫓における中間高さ位置での水平断面図である。
【図６】図６は実施形態の救助・避難櫓における避難ステージの高さ位置での水平断面図である。
【図７】図７は実施形態の救助・避難櫓における最上階ステージの高さ位置での水平断面図である。
【発明を実施するための形態】
【００２７】
図１〜図７はこの発明の実施形態である救助・避難櫓を示す図である。これらの図に示すように、この救助・避難櫓は、平面視正方形に形成されており、上端部に最上階ステージ３２および避難ステージ３１を備えている。そして、地震発生時に直ちに、各ステージ３１，３２上に避難することによって、津波の被害から逃れることができるようになっている。さらに本実施形態の救助・避難櫓は、津波発生時の避難用としてだけでなく、被災者の救助を行う際の拠点としても利用することができる。
【００２８】
本実施形態の救助・避難櫓は、建造物を建造する際の基準面となる地面等の設置面上に建造される。設置面における救助・避難櫓の設置領域１０には、その外周縁部において、４つのコーナー部と、隣り合うコーナー部間の４つの中間位置とに、計８本のスロープ外側支柱１３が立設されている。このスロープ外側支柱１３は、後述するスロープ４の外周縁部に沿って配置されるものである。
【００２９】
また救助・避難櫓の設置領域１０には、その外周縁部よりも少し内側において、４つのコーナー部と、隣り合うコーナー部間の４つの中間位置とに、計８本のスロープ内側支柱１２が立設されている。このスロープ内側支柱１２は、後述するスロープ４の内周縁部に沿って配置されるものである。
【００３０】
上記８本のスロープ外側支柱１３と、上記８本のスロープ外側支柱１３とはそれぞれ対応して配置されている。
【００３１】
また救助・避難櫓１０における中心位置には、１本の中心支柱１１が立設されている。
【００３２】
本実施形態において、各支柱１１〜１３は、内部にコンクリートが打設された丸鋼管によって構成されたＳ構造の棒状部材が用いられている。これらの各支柱１１〜１３は、救助・避難櫓の荷重を支える構造材として機能するものであり、風圧、地震等の外力にも十分に対応できる強度を備えている。
【００３３】
さらに本実施形態においては、中心支柱１１は、スロープ内側支柱１２およびスロープ外側支柱１３と比較して、径サイズの大きいものが用いられている。
【００３４】
なお言うまでもなく、本発明においては、各支柱１１〜１３の形状や大きさが特に限定されるものではなく、例えば角鋼管製のものを用いるようにしても良い。
【００３５】
ここで、本実施形態において、救助・避難櫓の設置領域１０とは、設置面上において、救助・避難櫓が建造される領域であり、設置面上において、建造後の救助・避難櫓によって占有される領域に相当する。
【００３６】
図３，図５〜図７等に示すように周囲方向に隣り合うスロープ内側支柱１２の各間には、水平方向に沿って水平梁２２が架け渡されるようにそれぞれ固定されている。さらにスロープ内側支柱１２のうち、隣り合うコーナー部間の中間に配置される支柱１２と、中心支柱１１との各間に、水平方向に沿って水平梁２１が架け渡されるようにそれぞれ固定されている。さらに対応し合うスロープ内側支柱１２とスロープ外側支柱１３との各間には、水平方向に沿って水平梁２３が架け渡されるようにそれぞれ固定されている。
【００３７】
また最上階ステージ３２に対応する位置において、隣り合うスロープ外側支柱１３間には、水平方向に沿って水平梁２４が架け渡されるように固定されている。さらに避難ステージ３１に対応する位置において、隣り合うスロープ外側支柱１３間の一部、つまり後述するスロープ４が存在しない部分（図２および図６参照）には、水平方向に沿って水平梁２４が架け渡されるように固定されている。
【００３８】
本実施形態において、水平梁２１〜２４は、Ｈ形鋼によって構成されている。
【００３９】
図５に示すように、スロープ内側支柱１２の内側において、後述する階段１７、避難梯子（タラップ）１８、簡易リフト１９等を設置する部分を除いて、所定の支柱１１，１２間には、水平方向に沿って火打ち材２５がそれぞれ取り付けられている。
【００４０】
本実施形態において、水平梁２１〜２３および火打ち材２５は、上下方向に所定の間隔おきに配置されている。
【００４１】
なお本発明において、火打ち材２５の設置数や設置位置は、特に限定されるものではなく、必要とする強度等を考慮して、設置数や設置位置を適宜設定すれば良い。
【００４２】
図１および図２に示すように、周囲方向に隣り合うスロープ外側支柱１３の各間のうち、救助・避難櫓の４つの外壁部（側面）における片側半分には、ブレース材２６が取り付けられている。さらに図３に示すように中心支柱１１と、スロープ内側支柱１３のうちコーナー部間の中間に配置されるスロープ内側支柱１３との各間には、ブレース材２６が取り付けられている。
【００４３】
本実施形態において、ブレース材２６は、上下方向に適当に区分けされた各区間毎に配置されている。
【００４４】
なお本発明においては、ブレース材２６も、上記火打ち材２５と同様、設置数や設置位置は、特に限定されるものではなく、必要とする強度等を考慮して、設置数や設置位置を適宜設定すれば良い。
【００４５】
図１〜３および図６，７に示すように、本実施形態の救助・避難櫓には、既述したように、上端部に位置する最上階ステージ３２と、その階下に位置する避難ステージ３１とが設けられている。
【００４６】
避難ステージ３１は、デッキプレート上に、メッシュ筋入りのコンクリート（鉄筋コンクリート（ＲＣ））が積層された剛性の高い床材によって構成されている。この床材が水平に敷設された状態で、水平梁２１〜２４を介して、各支柱１１〜１３に支持されている。
【００４７】
また最上階ステージ３２は、エキスバンドメタルからなる床材によって構成されている。この床材が水平に敷設された状態で、水平梁２１〜２４を介して、各支柱１１〜１３に支持されている。
【００４８】
本実施形態においては、避難ステージ３１および最上階ステージ３２のいずれもが、避難場所としての高架ステージを構成するものである。
【００４９】
図１〜図６に示すように救助・避難櫓の外周部には、車椅子や乳母車等が走行可能な歩行者用スロープ（斜路）４が設けられている。このスロープ４は、周囲方向に移動するに従って次第に上昇するように四角螺旋状または方形螺旋状等の螺旋状に形成されており、地上（設置面）から避難ステージ３１の高さ位置まで連続して設けられている。
【００５０】
スロープ４は、救助・避難櫓の各コーナー部に位置する水平な踊り場４６と、隣り合う踊り場４６間を結び、かつ所定の傾斜角度を有する傾斜部４５とを備えている。
【００５１】
スロープ４の傾斜部４５および踊り場４６は、デッキプレート上に、メッシュ筋入りのコンクリート（鉄筋コンクリート（ＲＣ））が積層された剛性の高い床材によって構成されている。
【００５２】
踊り場４６を構成する床材は、既述したように、コーナー部に位置するスロープ内側支柱１２および外側支柱１３間に架け渡された水平梁２３等を介して、スロープ内側支柱１２および外側支柱１３に支持されている。
【００５３】
スロープ４の傾斜部４５を構成する床材は、以下に詳述するように、スロープ内側傾斜梁４２および外側傾斜梁４３を介してスロープ内側支柱１２および外側支柱１３に支持されている。
【００５４】
すなわちスロープ４の外周側において、隣り合うスロープ外側支柱１３間には、スロープ４の各傾斜部４５に対応して、スロープ外側傾斜梁４３が架け渡されるようにそれぞれ固定されている。このスロープ外側傾斜梁４３は、スロープ４の傾斜部４５における外側縁部の下側に沿って配置され、かつ傾斜部４５と平行となるように傾斜した状態に配置されている。
【００５５】
またスロープ４の内周側において、スロープ内側支柱１２の外側面には、スロープ４の各傾斜部４５に対応して、水平梁２３や後述の水平材４４等を介してスロープ内側傾斜梁４２がそれぞれ固定されている。このスロープ内側傾斜梁４２は、スロープ４の傾斜部４５における内側縁部の下側に沿って配置され、かつ傾斜部４５と平行となるように傾斜した状態に配置されている。
【００５６】
なお言うまでもなく、スロープ内側傾斜梁４２と、スロープ外側傾斜梁４３とは互いに同じ傾斜角度となる。
【００５７】
本実施形態において、スロープ外側傾斜梁４３は、上記各水平梁２１〜２４と同様に、Ｈ形鋼によって構成され、断面サイズもほぼ同じものが用いられている。またスロープ内側傾斜梁４２は、同様にＨ形鋼によって構成されるものではあるが、水平梁２１〜２４やスロープ外側傾斜梁４３と比べて、断面サイズにおいて小さいもの（小梁）が用いられている。
【００５８】
そして既述したように、スロープ４の傾斜部４５の両側縁部が、スロープ内側傾斜梁４２および外側傾斜梁４３を介して、スロープ内側支柱１２および外側支柱１３に支持されている。
【００５９】
また本実施形態では、スロープ４の傾斜部４５の下面側において、スロープ内側傾斜梁４２および外側傾斜梁４３間に架け渡されるように水平材４４が設けられている。この水平材４４は、スロープ４の昇降方向に沿って所定の間隔おきに複数設けられている。
【００６０】
図６および図７に示すように、本実施形態において、歩行者用スロープ４は、避難ステージ３１および最上階ステージ３２間には設けられていない。最上階ステージ３２において、外側に張り出すように形成された外周部が、スロープ４に対応する位置に配置されている。
【００６１】
図１〜図７に示すように、救助・避難櫓の外周部における隣り合うスロープ外側支柱１３の各間には、地上から最上階ステージ３２の上方位置まで延びる縦材１５が、周囲方向に所定の間隔おきに多数設けられている。各縦材１５は、スロープ外側傾斜梁４３を介して、スロープ外側支柱１３に支持されている。
【００６２】
本実施形態において、縦材１５としては、内部にコンクリートが打設された丸鋼管によって構成されたＳ構造の棒状部材が用いられている。この縦材１５は、救助・避難櫓の荷重を支えるものではなく、支柱１１〜１３のように救助・避難櫓の荷重を支える構造材とは異なるものである。
【００６３】
なお言うまでもなく、本発明においては、各縦材１５の形状や大きさが特に限定されるものではなく、例えば角鋼管製のものを用いるようにしても良い。
【００６４】
また縦材１５には、スロープ４の外側および最上階ステージ３２の外側を閉塞するように手摺１６が設けられている。
【００６５】
図５〜図７に示すように、救助・避難櫓のスロープ内側支柱１２よりも内側におけるコーナー部（図５〜図７の右下コーナー部）には、避難階段１７が設けられている。この階段１７は、地上から最上階ステージ３２の位置まで設けられており、この階段１７を用いて、避難者は、地上と最上階ステージ３２との間を昇降できるようになっている。なお言うまでもなく、階段１７を用いて、避難者は、避難ステージ３１と最上階ステージ３２との間も昇降できるようになっている。
【００６６】
階段１７は、水平梁２１，２２を介して中心支柱１１およびスロープ内側支柱１２に支持されている。本実施形態では、階段１７の外周部にも、手摺が設けられている。
【００６７】
図５〜図７に示すように、救助・避難櫓のスロープ内側支柱１２よりも内側におけるコーナー部（図５〜図７の左上コーナー部）には、地上と避難ステージ３１との間を昇降自在な巻き上げ機等の簡易リフト１９が設けられている。また避難ステージ３１には、簡易リフト１９を駆動する駆動手段（図示省略）が設けられている。従って、この駆動手段の駆動によって、簡易リフト１９が自動的に昇降し、避難者は、簡易リフト１９を介して、地上と避難ステージ３１との間を昇降できるようになっている。さらに簡易リフト１９によって、避難に必要な毛布や衣類、食料等の荷物を、設置面と避難ステージ３１との間で上げ下ろしできるようになっている。
【００６８】
さらにスロープ内側支柱１２よりも内側における簡易リフト１９の両側には、地上から避難ステージ３１の位置まで避難梯子（タラップ）１８が設けられている。従ってこの避難梯子１８を用いて、避難者は、地上と避難ステージ３１との間を昇降できるようになっている。この避難梯子１８には、上下方向に間隔をおいた適当な位置に、踊り場が設けられている。
【００６９】
なお本実施形態においては、スロープ４、階段１７、避難梯子１８および簡易リフト１９のいずれもが、避難者用の昇降手段を構成するものである。
【００７０】
図３に示すように、本実施形態の救助・避難櫓においては、中心支柱１１を利用して、電波塔６を建造することも可能である。
【００７１】
すなわち図３の破線に示すように、本実施形態の救助・避難櫓の上方に、電波塔６を建造する場合には、中心支柱１１の上端に、電波塔用支柱６１を上方に延設するように固定する。さらに必要に応じて、電波塔用支柱６１と、適当なスロープ内側支柱１２との間を補強部材６２によって連結する。こうして救助・避難櫓上に電波塔用支柱６１を立設し、その支柱６１を電波塔６の一部として構成するものである。
【００７２】
ここで、電波塔６とは、通信や放送のための電波を送受信するための施設である。
【００７３】
なお、本実施形態においては、電波塔６を救助・避難櫓の建造と並行して建造しても良いし、救助・避難櫓を建造した後、必要に応じて、後から、電波塔６を建造するようにしても良い。もっとも、本発明においては、電波塔６を必ずしも設ける必要はなく、電波塔６を設けなくとも良い。
【００７４】
また、本実施形態の救助・避難櫓においては、最上階ステージ３２等に、ヘリコプターが離発着可能なヘリポートを建造することも可能である。このようにヘリポートを設置することにより、後述するようにヘリコプターを利用して、被災者の救助や、レスキュー隊の被災地への派遣等を迅速に行うことができる。
【００７５】
また図１および図４に示すように、本実施形態の救助・避難櫓の地上階における出入口部には、開閉自在な扉２０が設けられている。この扉２０は、例えば防犯用対策として、施錠可能に構成することもできる。施錠可能な扉２０を採用する場合、緊急時に、例えばJ−ＡＬＥＲＴ（全国瞬時警報システム）に連動して、あるいは手動で解錠できるようにしておけば良い。
【００７６】
本実施形態の救助・避難櫓には、太陽光発電システムとしてのソーラーパネルや、定置用リチウムイオン蓄電池等の定置用蓄電池を設置することもできる。
【００７７】
また本実施形態の救助・避難櫓の避難ステージ３１や最上階ステージ３２には、必要に応じて、据え置き型のＴＶモニターやスピーカ等を設置するようにしても良い。
【００７８】
また避難ステージ３１には、水道設備（給水設備）、簡易水槽、公衆電話、通信機器、発電機、浮き輪、ポータブルテレビ、ラジオ、救命胴衣等を備蓄するようにしても良い。さらに簡易トイレ等も設置するようにしても良い。
【００７９】
以上のように構成された本実施形態の救助・避難櫓によれば、外周に螺旋状に配置されるスロープ４の外側に、Ｓ構造の剛性が高いスロープ外側支柱１３が配置されているため、津波によって漂流する漂流物の衝突に対する強度を向上させることができ、スロープ４の損傷や破損を有効に防止することができる。
【００８０】
しかも本実施形態においては、スロープ４自体を、デッキプレート上に鉄筋コンクリートが積層された剛性の高いものにより構成するとともに、その内側のスロープ内側支柱１２も剛性が高いものにより構成している。このように剛性が高いスロープ４および支柱１２，１３等の構造材によって、櫓外周を取り囲むようにしているため、津波による不特定漂流物の衝突に対する強度を一層高めることができる。
【００８１】
また本実施形態において、スロープ外側支柱１３の各間には、周囲方向に所定の間隔おきに縦材１５を取り付けているため、比較的小型の不特定漂流物、例えば流木等が流されてきたとしても、縦材１５で受け止めることができ、漂流物が救助・避難櫓内に突入するのを有効に防止することができる。
【００８２】
また本実施形態においては、救助・避難櫓の中心に中心支柱１１を設置し、その中心支柱１１を利用して、電波塔６を建造できるようにしているため、電波塔６を設置するための設置スペースを別途確保する必要がなく、その分、設置スペースの有効利用を図ることができ、省スペース化を図ることができる。
【００８３】
さらに本実施形態の救助・避難櫓に電波塔６を設置した電波塔付の救助・避難櫓においては、救助・避難櫓および電波塔６を、各支柱１１〜１３でそれぞれ支持することができる。つまり救助・避難櫓を支持するための支柱と、電波塔６を支持するための支柱とを兼用することができるため、兼用できる分だけ、支柱本数を省略することができる。同様に救助・避難櫓の基礎の一部を、電波塔６の基礎の一部に利用することができる。このため、本実施形態の電波塔付の救助・避難櫓は、電波塔や救助・避難櫓をそれぞれ自立式で個別にそれぞれ建造する場合と比較して、基礎や構造材の一部を省略することができる。従って、所定の強度を確保しつつ、工事の負担を軽減できるとともに、コストを削減することができる。
【００８４】
特に本実施形態の電波塔付の救助・避難櫓においては、平面視で電波塔６を救助・避難櫓の中心位置に配置できるため、電波塔６を救助・避難櫓によって、周囲方向に均等にバランス良く支持することができ、より一層安定した状態に電波塔６を支持することができる。
【００８５】
また本実施形態の救助・避難櫓においては、周囲の支柱１２，１３に加えて、中心位置に配置した中心支柱１１によっても支持されるため、救助・避難櫓自体の強度を一段と高めることができ、地震や津波に対する強度も一段と高めることができる。
【００８６】
また本実施形態の救助・避難櫓においては、中心位置に中心支柱１１を設置しているため、スロープ内側支柱１２の内側に配置される水平梁２１の長さ寸法を短くすることができる。
【００８７】
すなわち、いずれかのスロープ内側支柱１２から、櫓中心部を通って反対側の他のスロープ内側支柱１２までの間に水平梁を架け渡す際において、中心支柱が存在しない場合には、上記いずれかのスロープ内側支柱１２と、他のスロープ内側支柱１２との間を直接、水平梁によって連結する必要があり、スパンが長く、長い寸法の水平梁が必要となる。このため、水平梁等の資材の高重量大型化を来たし、資材の現場への搬入作業や取り扱い作業が困難になる。従って救助・避難櫓の建築作業自体が困難になり、工期の長期化、コストの増大を来すおそれがある。
【００８８】
そこで、本実施形態の救助・避難櫓においては、中心位置に中心支柱１１を配置しているため、上記いずれかのスロープ内側支柱１２から、他のスロープ内側支柱１２までの間に水平梁を架け渡す場合、上記いずれかのスロープ内側支柱１２と中心支柱１１との間に水平梁２１を架け渡すとともに、中心支柱１１と他のスロープ内側支柱１２との間に水平梁２１を架け渡すことにより、上記いずれかのスロープ内側支柱１２と他のスロープ内側支柱１２との間を、短い寸法の２本の水平梁２１，２１によって連結することができる。このため、水平梁等の資材の小型軽量化を図ることができ、資材の現場への搬入作業や取り扱い作業を容易に行うことができ、救助・避難櫓の建築作業を容易に行うことができ、工期の短縮、コストの削減を図ることができる。
【００８９】
また本実施形態においては、隣り合うスロープ外側支柱１３間に架け渡されるスロープ外側傾斜梁４３を、スロープ４の傾斜に合わせて傾斜させるとともに、そのスロープ外側傾斜梁４３によってスロープ４を支持するようにしている。このためスロープ外側傾斜梁４３によって、隣り合うスロープ外側支柱１３間を連結する連結部材と、スロープ４を支持する支持部材とを兼用することができる。このた、組付部品点数を削減でき、より一層確実に工期を短縮できて、コストも削減することができる。
【００９０】
また本実施形態の救助・避難櫓は、平面視において、一コーナー部（例えば図４〜図７の左下のコーナー部）が海岸に対向して配置されている。つまり、津波発生時において、救助・避難櫓の一コーナー部が押し波の進行方向（図５の矢符Ｄ１で示す方向）に対し対向して配置されるとともに、救助・避難櫓における上記一コーナー部と対角線上に配置される他のコーナー部（例えば図４〜図７の右上のコーナー部）が、引き波の進行方向（図５の矢符Ｄ２で示す方向）に対し対向して配置されている。このため、津波発生時の押し波や引き波による漂流物を、救助・避難櫓の外壁部（側面）で受けずにコーナー部で受け止めることができ、より一層、津波に対する強度を確保することができる。
【００９１】
なお本実施形態において、図５の破線に示すように、中心支柱１１と左下コーナー部のスロープ内側支柱１２との間にブレース材２６を取り付けるとともに、中心支柱１１と右上コーナー部のスロープ内側支柱１２との間にブレース材２６を取り付けるようにして良い。このようにブレース材２６を津波の進行方向に沿うように救助・避難櫓の対角線に沿って取り付けることによって、より一層、津波に対する強度を向上させることができる。
【００９２】
また本実施形態の救助・避難櫓は、地上と避難ステージ３１との間を昇降自在な簡易リフト１９を設置しているため、簡易リフト１９を利用して、移動制約者等の避難困難者も容易に地上から避難ステージ３１上まで誘導することができる。
【００９３】
なお、簡易リフト１９は、スロープ内側支柱１２の内側に配置されているため、この支柱１２によって簡易リフト１９を、強度的に支障のない状態に確実に支持することができる。
【００９４】
さらに救助・避難櫓の外周に螺旋状に歩行者用スロープ４を設置しているため、そのスロープ４によって、車椅子等を利用している避難困難者も、地上から避難ステージ３１上に確実に誘導することができる。
【００９５】
さらに歩行者用スロープ４や簡易リフト１９以外の昇降手段として、避難階段１７や避難梯子１８も設置している。このように避難者用に多数の昇降手段を確保できるため、これらの昇降手段４，１７，１８，１９を適宜有効に利用することによって、多数の避難者を短時間で効率良く避難ステージ３１や最上階ステージ３２に誘導することができる。
【００９６】
また本実施形態の救助・避難櫓においては、ヘリコプターによって、避難者の避難や、避難者に必要な毛布や衣類、食料本実施形態の救助・避難櫓等の荷物の搬出入を行うことができる。例えば本実施形態の救助・避難櫓の上空にヘリコプターをホバリングさせておいて、その状態で、ヘリコプターから最上階ステージ３２へ、あるいは最上階ステージ３２からヘリコプターへ避難者を誘導したり、荷物を搬出入するようすれば良い。この場合、既述したように、最上階ステージ３２にヘリポートを建造しておくことにより、ヘリコプターによって、より確実に、避難者の避難や荷物の搬出入を行うことができる。
【００９７】
また本実施形態の救助・避難櫓は、災害時の避難用に限られず、災害時の救助活動の拠点としても利用することができる。例えば、本実施形態の救助・避難櫓を、被災者に必要な荷物等の仮置き場として利用したり、レスキュー隊の待機場所として利用することにより、本実施形態の救助・避難櫓を経由して、被災地等へ荷物を搬送したり、レスキュー隊を派遣したりするようにしれば良い。この場合特に、最上階ステージ３２等にヘリポートを建造しておくことにより、そのヘリコプターによって、荷物の搬出入や、レスキュー隊の被災地への派遣をより迅速に行うことができる。
【００９８】
また本実施形態の救助・避難櫓において、ソーラーパネルを設置する場合には、そのソーラーパネルを介して、救助・避難櫓で必要な電力の一部または全部を取得することができる。このため、他の送電設備から電力が供給されない場合であっても、電気設備、例えば照明、簡易リフト１９、テレビ、ラジオ、通信機器、携帯電話充電器等を使用することができる。さらに他の送電設備から電力が供給される場合であっても、ソーラーパネルから得られる分の電力を低減することができる。
【００９９】
なお、ソーラーパネルは、緊急時以外の平時においても使用して、電力会社等に対し売電等を行うようにしても良い。
【０１００】
また本実施形態において、避難ステージ３１や最上階ステージ３２に据え置き型のＴＶモニターを設置する場合には、避難者らは、その据え置き型ＴＶモニターを介して周辺地域の情報等を確実に取得することができる。
【０１０１】
また本実施形態においては、避難場所として、避難ステージ３１および最上階ステージ３２の２つのフロアを準備しているため、広大な避難場所（避難スペース）を確保できて、多くの人を安全に避難させることができる。
【０１０２】
なお、上記実施形態においては、隣り合うスロープ内側支柱１２間を連結する連結部材である水平梁２２と、スロープ内側を支持する支持部材であるスロープ内側傾斜梁４２とをそれぞれ別々に取り付けるようにしているが、水平梁２２を省略することによって、スロープ内側傾斜梁４２のみで、支柱１２間の連結部材およびスロープ内側の支持部材を兼用することも可能である。この場合、スロープ内側傾斜梁４２として、水平梁２２やスロープ外側傾斜梁４３と同様に大きいサイズのものを用い、このスロープ内側傾斜梁４２を、スロープ４の傾斜部４５と平行に配置した状態で、水平梁２２と同様に、隣り合うスロープ内側支柱４２間に架け渡すように固定するものである。
【０１０３】
また上記実施形態においては、救助・避難櫓の中心位置に設置した中心支柱１１を利用して、最上階ステージ３２の上方に、電波塔等の追加建造物を建造する場合を例に挙げて説明したが、それだけに限られず、本発明においては、電波塔以外の追加建造物、例えば火の見櫓や、展望台等を建造するようにしても良い。もっとも、本発明においては、既述したように、最上階ステージ３２の上方に、追加建造物を建造しなくとも良い。
【０１０４】
さらに本発明の救助・避難櫓においては、電波塔およびヘリポートのうち、いずれか一方のみを建造しても良いし、双方共に建造するようにしても良い。
【０１０５】
また上記実施形態においては、救助・避難櫓の中心位置に中心支柱１１を１本だけ設置して、スロープ内側支柱１２の内側には、中心支柱１１以外の支柱を設置しないようにしているが、それだけに限られず、本発明においては、救助・避難櫓の中心部に２本以上の柱を設置するようにしても良い。
【０１０６】
さらに本発明においては、救助・避難櫓の中心位置に、中心支柱を設けなくとも良い。つまり、スロープ内側支柱の内側に、構造材としての支柱を設置しないようにしても良い。
【０１０７】
また上記実施形態においては、各支柱１１〜１３を、内部にコンクリートが打設されたＳ構造の棒状部材によって構成しているが、それだけに限られず、本発明においては、支柱を、ＳＲＣ（鉄骨鉄筋コンクリート）構造の棒状部材（柱部材）によって構成するようにしても良い。
【０１０８】
また上記実施形態においては、救助・避難櫓を平面視正方形に形成しているが、本発明において、救助・避難櫓の形状は特に限定されるものではなく、どのような形状に形成しても良い。すなわち本発明においては、救助・避難櫓を、平面視において、長方形や、ひし形、四角形以外の多角形状に形成しても良い。例えば救助・避難櫓を平面視正三角形状や、正六角形状、正八角形状等の多角形状に形成しても良い。
【０１０９】
また本発明において、救助・避難櫓の高さ（避難ステージや最上階ステージの高さ）は、特に限定されるものではなく、設置場所や、発注者の要望等に応じて、適宜設定すれば良い。
【産業上の利用可能性】
【０１１０】
この発明の救助・避難櫓は、地震等の発生に伴って襲来する津波に対して、安全な避難場所を提供したり、被災者を救助する際の拠点としても利用することができる建造物として利用することができる。
【符号の説明】
【０１１１】
１１：中心支柱
１２：スロープ内側支柱
１３：スロープ外側支柱
１５：縦材
２２：水平梁（隣り合う内柱間）
２６：ブレース材
３１：避難ステージ（高架ステージ）
３２：最上階ステージ（高架ステージ）
４：スロープ
４２：スロープ内側傾斜梁
４３：スロープ外側傾斜梁
６：電波塔（追加建造物）
Ｄ１：押し波方向（押し波の進行方向）
Ｄ２：引き波方向（引き波の進行方向）
【図１】
2013249620.tif 000003
【図２】
2013249620.tif 000004
【図３】
2013249620.tif 000005
【図４】
2013249620.tif 000006
【図５】
2013249620.tif 000007
【図６】
2013249620.tif 000008
【図７】
2013249620.tif 000009